【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
無線アクセスネットワークからマルチモード移動局へ送信する完全性が保護されたコマンドメッセージを作成するように構成された装置であって、
前記完全性が保護されたコマンドメッセージは、更に先の無線アクセスネットワークにおけるマルチモード移動局がサポートする前記暗号化アルゴリズムに関する情報を含み、ペイロード及びメッセージ認証コードを有することを特徴とする装置。
【請求項２】
前記更に先の無線アクセスネットワークにおけるマルチモード移動局によりサポートされ、マルチモード移動局から非保護シグナリングメッセージにおいて受信される暗号化アルゴリズムに関する情報を前記ペイロードに付加するように構成されることを特徴とする請求項１に記載の装置。
【請求項３】
マルチモード移動局から受信され、更に先の無線アクセスネットワークにおけるマルチモード移動局がサポートする前記暗号化アルゴリズムに関する情報を含む非保護シグナリングメッセージを保存し、前記非保護シグナリングメッセージを前記メッセージ認証コードを算出するアルゴリズムにおいて使用するように構成されることを特徴とする請求項１に記載の装置。
【請求項４】
マルチモード移動局から受信され、更に先の無線アクセスネットワークにおけるマルチモード移動局がサポートする前記暗号化アルゴリズムに関する情報を含む非保護シグナリングメッセージのペイロードを保存し、前記非保護シグナリングメッセージのペイロードを前記メッセージ認証コードの算出するアルゴリズムにおいて使用するように構成されることを特徴とする請求項１に記載の装置。
【請求項５】
接続のセットアップの間に移動局から受信するマルチモード移動局性能に関する性能情報を保存し、前記メッセージ認証コードの算出する際に、コアネットワークから受信した前記コマンドメッセージに埋め込まれた暗号化アルゴリズムに関する情報と共に前記性能情報を使用するように構成されることを特徴とする請求項１に記載の装置。
【請求項６】
前記完全性が保護されたコマンドメッセージにおいて、更に先の無線アクセスネットワークにおけるマルチモード移動局がサポートする暗号化アルゴリズムに関する情報、及び、前記無線アクセスネットワークにおける前記マルチモード移動局のセキュリティ能力（capability）に関する情報を、完全性が保護されたコマンドメッセージから除くように構成されることを特徴とする請求項１、３、４又は５の何れか一項に記載の装置。
【請求項７】
更に先の無線アクセスネットワークにおけるマルチモード移動局がサポートする暗号化アルゴリズムに関する情報を、前記完全性が保護されたコマンドメッセージにおいて含むように構成されることを特徴とする請求項１に記載の装置。
【請求項８】
接続セットアップの間に更に先の無線アクセスネットワークにおけるマルチモード移動局がサポートする暗号化アルゴリズムに関する情報を受信し、暗号化アルゴリズムに関する前記情報を保存し、前記完全性が保護されたコマンドメッセージを作成する際に暗号化アルゴリズムに関する前記情報を使用することを特徴とする請求項１に記載の装置。
【請求項９】
更に先の無線アクセスネットワークにおいてマルチモード移動局がサポートする暗号化アルゴリズムに関する情報をコアネットワークに送信することを特徴とする請求項１ないし８の何れか一項に記載の装置。
【請求項１０】
コアネットワークからマルチモード移動局に以降の通信を暗号化するように命令するコマンドメッセージを受信するように構成されることを特徴とする請求項１ないし９の何れか一項に記載の装置。
【請求項１１】
前記コアネットワークから前記コマンドメッセージを受信した後、前記完全性が保護されたコマンドを前記マルチモード移動局に送信するように構成された請求項１０に記載の装置。
【請求項１２】
前記完全性が保護されたコマンドメッセージがマルチモード移動局に以降の通信を暗号化するように命令することを特徴とする請求項１ないし１１の何れか一項に記載の装置。
【請求項１３】
第１の無線アクセスネットワークに、第２の無線アクセスネットワークにおけるマルチモード移動局がサポートする暗号化アルゴリズムに関する情報を含むシグナリングメッセージを送信し、
前記第１の無線アクセスネットワークから、第２の無線アクセスネットワークにおけるマルチオード移動局がサポートする前記暗号化アルゴリズムに関する情報を含む完全性が保護されたコマンドメッセージを受信するものであって、前記完全性が保護されたコマンドメッセージはペイロード及びメッセージ認証コードを有し、
前記完全性が保護されたコマンドメッセージにおける前記暗号化アルゴリズムに関する前記情報が前記保護された非保護のシグナリングメッセージにおける前記暗号化アルゴリズムに関する前記情報に対応するか否かを決定するように構成される装置。
【請求項１４】
前記ペイロードが暗号化アルゴリズムに関する情報を含み、前記マルチモード移動局が、前記ペイロードにおける受信された暗号化アルゴリズムに関する情報と、前記マルチモード移動局がサポートする前記暗号化アルゴリズムに関する保存された情報とを比較するように構成されることを特徴とする請求項１３に記載の装置。
【請求項１５】
前記非保護シグナリングメッセージを保存し、前記非保護シグナリングメッセージを完全性が保護されたコマンドメッセージのために予想するメッセージ認証コードを算出するアルゴリズムにおいて使用するように構成されることを特徴とする請求項１３に記載の装置。
【請求項１６】
前記非保護シグナリングメッセージのペイロードを保存し、前記非保護シグナリングメッセージのペイロードを完全性が保護されたコマンドメッセージのために予想するメッセージ認証コードの算出するアルゴリズムにおいて使用するように構成されることを特徴とする請求項１３に記載の装置。
【請求項１７】
完全性が保護されたコマンドメッセージのために予想するメッセージ認証コードを算出する際に、第２の無線アクセスネットワークにおけるマルチモード移動局がサポートする暗号化アルゴリズムに関する情報を、前記第１の無線アクセスネットワークで使用されるための暗号化アルゴリズムに関する情報と共に使用するように構成されることを特徴とする請求項１３に記載の装置。
【請求項１８】
前記完全性が保護されたコマンドメッセージが、第２の無線アクセスネットワークにおけるマルチモード移動局がサポートする暗号化アルゴリズムに関する情報、及び、前記無線アクセスネットワークにおける前記マルチモード移動局のセキュリティ能力（capability）に関する情報を省くことを特徴とする請求項１３、１５、１６又は１７の何れか一項に記載の装置。
【請求項１９】
前記完全性が保護されたコマンドメッセージは、第２の無線アクセスネットワークにおけるマルチモード移動局がサポートする暗号化アルゴリズムに関する情報を含むことを特徴とする請求項１３に記載の装置。
【請求項２０】
接続セットアップの間に前記第２の無線アクセスネットワークにおけるマルチモード移動局がサポートする暗号化アルゴリズムに関する情報を送信するように構成されていることを特徴とする請求項１３に記載の装置。
【請求項２１】
前記完全性が保護されたコマンドメッセージがマルチモード移動局に以降の通信を暗号化するように命令することを特徴とする請求項１３に記載の装置。
【請求項２２】
請求項１ないし１２の何れか一項に記載の装置を有する無線アクセスネットワークを少なくとも１つ有する移動通信システム。
【請求項２３】
更に先の無線アクセスネットワークにおいてマルチモード移動局がサポートする暗号化アルゴリズムに関する情報を受信するためのコアネットワークを有する請求項２２に記載の移動通信システム。
【請求項２４】
請求項１３ないし２０の何れか一項に記載の装置を有するマルチモード移動局を少なくとも１つ有する、請求項２２又は２３に記載の移動通信システム。
【請求項２５】
無線アクセスネットワークからマルチモード移動局へ送信する完全性が保護されたコマンドメッセージを作成するステップを含む方法であって、
前記完全性が保護されたコマンドメッセージは、第２の無線アクセスネットワークにおけるマルチモード移動局がサポートする前記暗号化アルゴリズムに関する情報を含み、ペイロード及びメッセージ認証コードを有することを特徴とする方法。
【請求項２６】
前記第２の無線アクセスネットワークにおいてマルチモード移動局がサポートする暗号化アルゴリズムに関する情報を送信するステップを有する請求項２５に記載の方法。
【請求項２７】
前記コアネットワークから、マルチモード移動局に以降の通信を暗号化するように命令するコマンドメッセージを受信するステップを有する請求項２５又は２６記載の方法。
【請求項２８】
前記完全性が保護されたコマンドメッセージを以ってマルチモード移動局に以降の通信を暗号化するように命令するステップを有する請求項２５ないし２７の何れか一項に記載の方法。
【請求項２９】
―マルチモード移動局から第１の無線アクセスネットワークに、第２の無線アクセスネットワークにおけるマルチモード移動局がサポートする暗号化アルゴリズムに関する情報を含む非保護のシグナリングメッセージを送信し、
―前記マルチモード受信局において、第２の無線アクセスネットワークにおけるマルチモード移動局によりサポートされる暗号化アルゴリズムに関する情報を含む、完全性が保護されたコマンドメッセージ（但し、完全性が保護されたコマンドメッセージはペイロード及びメッセージ認証コードを有する）を前記第１の無線アクセスネットワークから受信し、
―前記完全性が保護されたコマンドメッセージにおける前記暗号化アルゴリズムに関する前記情報が、前記非保護のシグナリングメッセージにおける暗号化アルゴリズムに関する情報に対応するかについて結論する、
ことを含む方法。
【請求項３０】
前記ペイロードが暗号化アルゴリズムに関する情報を有し方法であって、前記ペイロードにおいて受信された暗号化アルゴリズムに関する情報を、マルチモード移動局によりサポートされる前記暗号化アルゴリズムに関する記憶された情報と比較することを含む請求項２９に記載の方法。
【請求項３１】
非保護シグナリングメッセージを保存し、完全性が保護されたコマンドメッセージのために予想されるメッセージ認証コードを算出するためのアルゴリズムにおける非保護シグナリングメッセージを使用することを含む請求項２９に記載の方法。
【請求項３２】
非保護のシグナリングメッセージのペイロードを保存し、完全性が保護されたコマンドメッセージのために予想されるメッセージ認証コードを算出するためのアルゴリズムにおける非保護シグナリングメッセージのペイロードを使用することを含む請求項２９に記載の方法。
【請求項３３】
完全性が保護されたコマンドメッセージに対する予想されるメッセージ認証コードを算出するために、前記第２無線アクセスネットワークにおけるマルチモード移動局によりサポートされる暗号化アルゴリズムに関する情報、及び前記第１無線アクセスネットワークと共に使用するための暗号化アルゴリズムに関する情報を使うことを含む請求項２９に記載の方法。
【請求項３４】
完全性が保護されたコマンドメッセージが前記更に先の無線アクセスネットワークにおけるマルチモード移動局によりサポートされる暗号化アルゴリズムに関する情報、及び前記無線アクセスネットワークにおける前記マルチモード移動局のセキュリティ能力に関する情報を省く請求項２９に記載の方法、及び、請求項３１乃至３３の何れか一項に記載の方法。
【請求項３５】
前記完全性が保護されたコマンドメッセージは前記更に先の無線アクセスネットワークにおけるマルチモード移動局によりサポートされる暗号化アルゴリズムに関する情報を含む請求項２９乃至３３の何れか一項に記載の方法。
【請求項３６】
接続の立上げ時の間に前記第２無線アクセスネットワークにおけるマルチモード移動局によりサポートされる暗号化アルゴリズムに関する前記情報を送信することを含む請求項２９乃至３５の何れか一項に記載の方法。
【請求項３７】
前記完全性が保護されたコマンドメッセージは更なる通信を暗号化するためにマルチモード移動局に命令する請求項２９乃至３６の何れか一項に記載の方法。